(57)【要約】【課題】ユーザデータベースに保存されている電子電話帳は、どの通信端末からも参照できるので情報が漏洩する可能性があるという問題点と、通信端末ごとに電子電話帳を保持する場合は、その通信端末が所属するグループ間において、情報の共有化ができないという問題点を解決する。【解決手段】複数の通信端末を収容する構内交換機、スイッチ、ルータ、ハブ等のネットワーク中継装置１０１において、通信端末１０２ごとにネットワーク電話帳１０８を保存し、ある通信端末１０２から新規に登録された電話番号は、その通信端末１０２と同じＶＬＡＮに属する通信端末１０２のネットワーク電話帳１０８にも複製する。これにより、ＬＡＮを設定することで電話番号情報等の漏洩を防止し、また同じＶＬＡＮに属する通信端末間では効率良く電話帳情報を利用できる。【選択図】図１
2005260416.tif 000002
【特許請求の範囲】
【請求項１】
複数の通信端末を収容する構内交換機、スイッチ、ルータ、ハブ等のネットワーク中継装置において、前記通信端末ごとに電子電話帳を保存し、ある通信端末から新規に登録された電話番号は、その通信端末と同じバーチャルＬＡＮに属する通信端末の電子電話帳に複製することを特徴とするネットワーク中継装置。
【請求項２】
前記通信端末において、接続するポートを変更してもバーチャルＬＡＮを設定することにより前記電子電話帳を参照可能としたことを特徴とする請求項１記載のネットワーク中継装置。
【請求項３】
予め登録されている通信端末のみ前記電子電話帳を利用可能とした請求項１または２に記載のネットワーク中継装置。
【請求項４】
前記通信端末からコマンドを受信することで、通信端末が属していないバーチャルＬＡＮの電子電話帳を参照可能としたことを特徴とする請求項１から３のいずれかに記載のネットワーク中継装置。
【発明の詳細な説明】
【技術分野】
【０００１】
本発明は、構内交換機（ＰＢＸ）、スイッチ、ルータ、ハブ等のネットワーク中継装置に関し、より詳しくは、これらのネットワーク中継装置に内蔵される電子電話帳において、そのセキュリティを確保し、有効利用する技術に関する。
【背景技術】
【０００２】
従来の電子電話帳は、サーバのユーザデータベース内部に、着信者の電話番号をユーザごとに格納しておき、通信端末から電子電話帳の表示要求が出力された場合に、必要な電話番号を選別して通信端末に送信するというものである（例えば、特許文献１参照。）。
【０００３】
図８は、従来のインターネット電話支援システムのブロック図である。各通信端末は、サーバとの認証を行うことで、サーバが持つサービス（動画配信、ボイスメール、電話帳情報）を受信することが可能となる。
【０００４】
また、電子電話帳をサーバに保存せずに、各通信端末に保存するものもある。
【特許文献１】特開２００２−３３５３２８号公報
【発明の開示】
【発明が解決しようとする課題】
【０００５】
本発明が解決しようとする問題点は、ユーザデータベースに保存されている電子電話帳は、どの通信端末からも参照できるので情報が漏洩する可能性があるという点と、通信端末ごとに電子電話帳を保持する場合は、その通信端末が所属するグループ間において、情報の共有化ができないという点である。
【課題を解決するための手段】
【０００６】
本発明は、ネットワーク中継装置内部に、それに接続する通信端末ごとに電子電話帳を保存し、ある通信端末から新規に登録された電話番号は、その通信端末と同じバーチャルＬＡＮ（Ｖｉｒｔｕａｌ  ＬＡＮ、以下、「ＶＬＡＮ」と称す。）に属する通信端末の電子電話帳に複製することを主要な特徴とする。
【発明の効果】
【０００７】
本発明によれば、同じＶＬＡＮに属する通信端末以外の通信端末からは電子電話帳が参照できないのでセキュリティの確保ができるということと、電子電話帳をネットワーク中継装置側に持っているので、通信端末に依存せずにこの電子電話帳機能を利用できるという利点がある。
【発明を実施するための最良の形態】
【０００８】
本発明は、電話番号情報等の漏洩を防止し、効率良く情報の共有をするという目的を、ネットワーク中継機器内部に、それに接続する通信端末ごとに電子電話帳を保存し、ある通信端末から新規に登録された電話番号は、その通信端末と同じＶＬＡＮに属する通信端末の電子電話帳に複製することで実現した。
【０００９】
本願の第１の発明は、複数の通信端末を収容する構内交換機、スイッチ、ルータ、ハブ等のネットワーク中継装置において、通信端末ごとに電子電話帳を保存し、ある通信端末から新規に登録された電話番号は、その通信端末と同じＶＬＡＮに属する通信端末の電子電話帳にも複製することを特徴とするネットワーク中継装置としたものであり、同じＶＬＡＮに属する通信端末以外の通信端末からは電子電話帳が参照できないので、ＶＬＡＮを
設定することで電話番号情報等の漏洩を防止することができる。また、同じＶＬＡＮに属する通信端末間では効率良く電話帳情報を利用できるという効果を奏する。
【００１０】
本願の第２の発明は、通信端末において、接続するポートを変更してもＶＬＡＮを設定することにより電子電話帳を参照可能としたネットワーク中継装置としたものであり、通信端末の設置場所に関係なく電子電話帳を参照できるという効果を奏する。
【００１１】
本願の第３の発明は、予め登録されている通信端末のみ電子電話帳を利用可能としたネットワーク中継装置としたものであり、登録されていない通信端末は電子電話帳を参照できないのでセキュリティを確保できるという効果を奏する。
【００１２】
本願の第４の発明は、通信端末からコマンドを受信することで、通信端末が属していないＶＬＡＮの電子電話帳を参照可能としたネットワーク中継装置としたものであり、ネットワーク機器の管理者が、ネットワーク機器を制御するための専用の端末を用意することなく、電子電話帳の管理、保守ができるという効果を奏する。
【００１３】
以下、本発明の実施の形態について、各図に基づいて説明する。
【００１４】
（実施の形態１）
図１は本発明の実施の形態１におけるネットワーク中継装置の内部構成図である。
【００１５】
図１において、ネットワーク中継装置１０１は、パーソナルコンピュータ（ＰＣ）、電話機やインターネット電話機等の通信端末１０２を接続する端末Ｉ／Ｆ部１０３と、音声パケット、データパケットや音声データ等を接続された通信端末１０２に応じて変換するデータ処理部１０４と、ＷＡＮ、ＬＡＮ、外線や内線に対してデータの送受信を行うネットワークＩ／Ｆ部１０５と、データ処理部１０４とネットワークＩ／Ｆ部１０５に対して送受信のタイミングを生成するタイミング生成部１０６と、音声、データやプログラム等を保管する記憶部１０７と、その記憶部１０７内部に各通信端末の電子電話帳を保存した電話帳１０８と、端末Ｉ／Ｆ部１０３とデータ処理部１０４とネットワークＩ／Ｆ部１０５とタイミング生成部１０６と記憶部１０７と電話帳１０８を制御、管理する制御部１０９とで構成されている。
【００１６】
図２は記憶部１０７内部の電話帳１０８を示す図である。
【００１７】
図２に示すように、電話帳１０８は、電話番号と、その電話番号を公開するか非公開にするどうか決定するグローバルと、それら電話番号とグローバルを対にして管理する管理番号と、各電話帳１０８に付属されるＶＬＡＮ  ＩＤからなる。
【００１８】
図３は電話番号の登録方法を示す図を示している。なお、図３の例では、電話帳１０８の全てが同じＶＬＡＮ  ＩＤ＝１に属し、新規に登録する電話番号として“△△△△”が入力された場合について説明する。
【００１９】
電話帳１０８へ電話番号を登録するには、通信端末１０２の“登録”ボタン、登録する電話番号“△△△△”、その電話番号がグローバルかグローバルではないかを表す“グローバル番号”の順番で入力する。グローバルが“０”の電話番号は、その登録をした通信端末１０２の電話帳１０８のみに保存されるが、グローバルが“１”の電話番号は、自動的に他の通信端末１０２の電話帳１０８にも複製される。これにより、同じＶＬＡＮに属する各通信端末１０２がその電話番号を利用できるようになる。本例では、電話番号“△△△△”が全電話帳１０８に複製された状態を示している。
【００２０】
図４は異なるＶＬＡＮが存在する場合の電話番号登録方法を示す図を示している。なお、図４の例においては、通信端末（１）１０２と通信端末（２）１０２は同じＶＬＡＮ  ＩＤ＝１に属しており、通信端末（１）１０２から新規に電話番号“△△△△”がグローバルで登録される様子を示している。図４に示すように、グローバルで登録された電話番号“△△△△”は、おなじＶＬＡＮ  ＩＤを持つ電話帳１０８にのみ複製される（本実施の形態では、通信端末（２）１０２の電話帳１０８に複製）。同様に、通信端末（Ｘ−１）１０２と通信端末（Ｘ）１０２は同じＶＬＡＮ  ＩＤ＝１０に属しており、通信端末（Ｘ）１０２から新規に電話番号“■■■■”がグローバルで登録されるが、電話番号“■■■■”が複製される電話帳１０８は、同じＶＬＡＮ  ＩＤ＝１０を持つ電話帳１０８に限られる（本例では、通信端末（Ｘ−１）１０２の電話帳１０８に複製）。
【００２１】
なお、本例では、通信端末１０２の“登録”ボタンを利用して新規の電話番号を登録しているが、通信端末１０２上の任意のボタンの組み合わせ（本明細書中、「コマンド」と称す。）を用いることで、“登録”ボタンがない一般的な電話からでも登録可能とすることができる。
【００２２】
以上のことから、他のＶＬＡＮに属する通信端末からは電話帳を参照することができないようにすることができ、同じＶＬＡＮに属する通信端末同士のみでの電話番号の共有が可能となる。
【００２３】
（実施の形態２）
次に、本発明の他の実施の形態について説明する。本発明の実施の形態２におけるネットワーク中継装置は、実施の形態１におけるネットワーク中継装置に、電話帳１０８の複製機能を加えたものである。
【００２４】
図５は本発明の実施の形態２におけるネットワーク電話帳の複製方法を示す図を示している。図５の例では、新規に通信端末（Ｚ）１０２をネットワーク中継装置１０１のポートＺに接続した場合について説明する。
【００２５】
ポートＺに通信端末（Ｚ）１０２が接続されたことを認識したネットワーク中継装置１０１は、記憶部１０７内部に新規に通信端末（Ｚ）１０２用の電話帳１０８を設ける。この新規の電話帳１０８のＶＬＡＮ  ＩＤにはユニークな番号が割り当てられ、登録されている電話番号は無い状態である。そこで、ネットワーク中継装置１０１の管理者が、この通信端末（Ｚ）１０２の電話帳１０８のＶＬＡＮ  ＩＤに“１”を登録することで、同じＶＬＡＮ  ＩＤ＝１を持つ電話帳１０８のグローバルで登録されている電話番号がこの通信端末（Ｚ）１０２の電話帳１０８に複製される（本例では通信端末（１）１０２の電話帳１０８におけるグローバルな電話番号を、通信端末（Ｚ）１０２の電話帳１０８へ複製）。
【００２６】
また、前述のように、通信端末（Ｚ）１０２からも、“コマンド”に続いて“１”を入力することで、通信端末（Ｚ）１０２の電話帳１０８のＶＬＡＮ  ＩＤを“１”に変更可能とすることが可能である。以下同様にして、同じＶＬＡＮ  ＩＤを持つ電話帳１０８の電話番号が複製される。
【００２７】
次に、通信端末１０２の接続するポートを変更する場合について説明する。
【００２８】
ネットワーク中継装置１０１は定期的に通信端末１０２と通信を行うことで、ポートに通信端末１０２が接続されていることを認識している。通信端末１０２をネットワーク中継装置１０１から取り外した場合、ある一定時間は取り外した通信端末１０２の電話帳１０８を保持している。その保持している間に、取り外した通信端末１０２を再接続すると
、ネットワーク中継装置１０１はその接続を通信端末１０２のＭＡＣアドレスから認識し、保持していた電話帳１０８を使用可能にする。ある一定時間過ぎた場合は、取り外した通信端末１０２の電話帳１０８は記憶部１０７から消去される。
【００２９】
（実施の形態３）
次に、本発明の他の実施の形態について説明する。本発明の実施の形態３におけるネットワーク中継装置は、図１のネットワーク中継装置１０１の構成要素に、認証ＭＡＣテーブルを加えたものである。
【００３０】
図６は本発明の実施の形態３における認証ＭＡＣテーブルを備えたネットワーク中継装置の構成図である。図６の例では、認証ＭＡＣテーブル６０１は記憶部１０７に保存してあり、その認証ＭＡＣテーブル６０１の内部には、電話帳１０８を利用できる通信端末のＭＡＣアドレスが、予め登録されている。
【００３１】
ネットワーク中継装置１０１に通信端末１０２を接続した場合、ネットワーク中継装置１０１は通信端末１０２との情報交換から通信端末１０２のＭＡＣアドレスを受信する。その受信したＭＡＣアドレスが予め登録してある認証ＭＡＣテーブル６０１上に存在する場合、電話帳１０８の利用が可能となる。また認証ＭＡＣテーブル６０１上に接続した通信端末１０２のＭＡＣアドレスが存在しない場合は、通信端末１０２は電話帳１０８が利用できない。
【００３２】
（実施の形態４）
次に、本発明の他の実施の形態について説明する。本発明の実施の形態４におけるネットワーク中継装置は、図２の電話帳１０８の構成要素に、管理ＶＬＡＮ  ＩＤを加えたものである。
【００３３】
図７は本発明の実施の形態４における管理ＶＬＡＮ  ＩＤ用ネットワーク電話帳を示す図を示している。
【００３４】
図７に示すように、管理ＶＬＡＮ  ＩＤ用ネットワーク電話帳７０１は、管理ＶＬＡＮ
ＩＤの項目と、登録されている全てのＶＬＡＮ  ＩＤの電話帳１０８から構成されている。管理ＶＬＡＮ  ＩＤは、実施の形態２に示すように、通信端末（Ｘ）１０２からコマンドを用いて管理ＶＬＡＮ  ＩＤ＝Ｚを入力するか、ネットワーク中継装置１０１の管理者によって設定される。管理ＶＬＡＮ  ＩＤ＝Ｚは、ネットワーク中継装置１０１に予め登録されている電話帳を管理、制御するための管理者用のＩＤである。
【００３５】
通信端末（Ｘ）１０２から管理ＶＬＡＮ  ＩＤに設定する命令を受信したネットワーク中継装置１０１は、図７に示す管理ＶＬＡＮ  ＩＤ用ネットワーク電話帳７０１を用意する。
【００３６】
以上のことから通信端末（Ｘ）１０２は、他の全通信端末１０２の電話番号を管理、制御することが可能となり、ネットワーク中継装置１０１専用の制御端末を利用する必要がなくなる。
【産業上の利用可能性】
【００３７】
本発明は、ネットワーク中継装置に内蔵される電子電話帳において、そのセキュリティを確保し、有効利用するための管理、制御方法に関するものであり、異なるＶＬＡＮに属する通信端末からは電子電話帳が参照できないのでセキュリティの確保ができるということと、電子電話帳をネットワーク中継装置側に持っているので、通信端末に依存せずにこの電子電話帳機能を利用できるという利点がある。
【図面の簡単な説明】
【００３８】
【図１】本発明の実施の形態１におけるネットワーク中継装置の内部構成図
【図２】記憶部内部の電話帳を示す図
【図３】電話番号の登録方法を示す図
【図４】異なるＶＬＡＮが存在する場合の電話番号登録方法を示す図
【図５】本発明の実施の形態２におけるネットワーク電話帳の複製方法を示す図
【図６】本発明の実施の形態３における認証ＭＡＣテーブルを備えたネットワーク中継装置の構成図
【図７】本発明の実施の形態４における管理ＶＬＡＮ  ＩＤ用ネットワーク電話帳を示す図
【図８】従来のインターネット電話支援システムのブロック図
【符号の説明】
【００３９】
１０１    ネットワーク中継装置
１０２    通信端末
１０３    端末Ｉ／Ｆ部
１０４    データ処理部
１０５    ネットワークＩ／Ｆ部
１０６    タイミング生成部
１０７    記憶部
１０８    電話帳
６０１    認証ＭＡＣテーブル
７０１    管理ＶＬＡＮ  ＩＤ用ネットワーク電話帳
【図１】
2005260416.tif 000003
【図２】
2005260416.tif 000004
【図３】
2005260416.tif 000005
【図４】
2005260416.tif 000006
【図５】
2005260416.tif 000007
【図６】
2005260416.tif 000008
【図７】
2005260416.tif 000009
【図８】
2005260416.tif 000010